(57)【要約】【課題】冷媒凝縮用熱交換パスの全熱交換管を流れる冷媒流量を均一化し、かつ小型化を図りうるコンデンサを提供する。【解決手段】コンデンサの凝縮部入口ヘッダ12に、両端が開口した冷媒流入路17を有する入口部材16を接合する。入口部材16の冷媒流入路17の一端開口が外部からの流入口27となり、他端開口が凝縮部入口ヘッダ12内への流出口28となっている。凝縮部入口ヘッダ12の周壁における長手方向中央部よりも一端側に偏った部分に開口23を形成し、入口部材16に開口23を通して凝縮部入口ヘッダ12内に挿入された挿入部24を設ける。挿入部24と凝縮部入口ヘッダ12の周壁の一部との間に間隙29が存在する。冷媒流入路17の流出口28は挿入部24の１つの上を向いた平面26に開口し、冷媒を凝縮部入口ヘッダ12の長手方向中央部側に向かって流出させる。【選択図】図４
2018013322.tif 000002
【特許請求の範囲】
【請求項１】
長手方向を上下方向に向けて配置された凝縮部入口ヘッダと、長手方向を左右方向に向けるとともに上下方向に間隔をおいて並列状に配置され、かつ長手方向の一端が凝縮部入口ヘッダに接続された複数の熱交換管からなる熱交換パスとを備えており、凝縮部入口ヘッダに、両端が開口した冷媒流入路を有しかつ凝縮部入口ヘッダ内における長手方向中央部よりも一端側に偏った部分に冷媒を流入させる入口部材が接合され、入口部材の冷媒流入路の一端開口が外部からの流入口となっているとともに他端開口が凝縮部入口ヘッダ内への流出口となっているコンデンサにおいて、
凝縮部入口ヘッダの周壁における長手方向中央部よりも一端側に偏った部分に開口が形成され、入口部材に、当該開口を通して凝縮部入口ヘッダ内に挿入された挿入部が、当該挿入部と凝縮部入口ヘッダの周壁の一部との間に間隙が存在するように設けられ、冷媒流入路の流出口が前記挿入部に開口しており、冷媒流入路の流出口が、冷媒を凝縮部入口ヘッダの長手方向中央部側に向かって流出するようになされているコンデンサ。
【請求項２】
入口部材の挿入部の流出口が１つの平面上に位置しており、当該平面に対して垂直な直線が凝縮部入口ヘッダの長手方向にのびている請求項１記載のコンデンサ。
【請求項３】
入口部材の挿入部の流出口が１つの平面上に位置しており、前記流出口の中心を通りかつ前記平面に対して垂直である直線が、前記平面から凝縮部入口ヘッダの長手方向中央部側に向かうにつれて、前記流出口の中心を通りかつ凝縮部入口ヘッダの長手方向にのびる直線から離れる方向に傾斜しており、両直線が一定の角度をなしている請求項１記載のコンデンサ。
【請求項４】
入口部材の挿入部の流出口が位置する１つの平面に対して垂直な直線と、凝縮部入口ヘッダの長手方向にのびる直線とのなす角度が０〜４５度(但し、０度を含まない)である請求項３記載のコンデンサ。
【請求項５】
入口部材の流出口が位置する１つの平面に対して垂直な直線が、通風方向と直交する平面上に位置している請求項２〜４のうちのいずれかに記載のコンデンサ。
【請求項６】
入口部材の冷媒流入路における流出口側の一定長さ部分に、直線部分が設けられており、当該直線部分が、流入口側から流出口側にかけて、凝縮部入口ヘッダの長手方向中央部側でかつ熱交換管側に傾斜している請求項５記載のコンデンサ。
【請求項７】
入口部材の挿入部に、一端が冷媒流入路の内面に開口するとともに、他端が挿入部における凝縮部入口ヘッダの長手方向中央部側とは反対側を向いた面に開口した補助冷媒流入路が形成されており、補助冷媒流入路の前記他端開口の大きさが、流出口の大きさよりも小さくなっている請求項１〜６のうちのいずれかに記載のコンデンサ。
【請求項８】
凝縮部と、凝縮部の下方または上方に設けられた過冷却部と、凝縮部と過冷却部との間に設けられた受液部とを備えており、凝縮部が、長さ方向を左右方向に向けるとともに上下方向に間隔をおいて並列状に配置された複数の熱交換管からなる少なくとも１つの熱交換パスと、冷媒流れ方向最下流側の熱交換パスの冷媒流れ方向下流側端部が通じかつ凝縮部の全熱交換パスを流れた冷媒が流入する凝縮部出口ヘッダとを備え、凝縮部入口ヘッダに冷媒流れ方向最上流側の熱交換パスの冷媒流れ方向上流側端部が通じさせられ、過冷却部が、長手方向を上下方向に向けて配置された過冷却部入口ヘッダと、長手方向を上下方向に向けて配置された過冷却部出口ヘッダと、長手方向を左右方向に向けるとともに上下方向に間隔をおいて並列状に配置された複数の熱交換管からなる少なくとも１つの過冷却用熱交換パスとを備え、過冷却部入口ヘッダに冷媒流れ方向最上流側の過冷却用熱交換パスの冷媒流れ方向上流側端部が通じさせられ、過冷却部出口ヘッダに冷媒流れ方向最下流側の過冷却用熱交換パスの冷媒流れ方向下流側端部が通じさせられ、受液部が、凝縮部出口ヘッダと過冷却部入口ヘッダとに通じさせられ、凝縮部出口ヘッダから流出した冷媒が、受液部を経て過冷却部入口ヘッダ内に流入するようになされている請求項１〜７のうちのいずれかに記載のコンデンサ。
【請求項９】
凝縮部に１つの熱交換パスが設けられるとともに、当該熱交換パスの全熱交換管が凝縮部入口ヘッダおよび凝縮部出口ヘッダに接続されている請求項８記載のコンデンサ。
【請求項１０】
熱交換管の一端側に長手方向を上下方向に向けた第１ヘッダタンクが配置されるとともに、他端側に長手方向を上下方向に向けた第２ヘッダタンクおよび第３ヘッダタンクが、第３ヘッダタンクが第２ヘッダタンクよりも左右方向外側に位置するように設けられ、第１ヘッダタンクに、凝縮部入口ヘッダおよび過冷却部出口ヘッダが前者が上側に位置するように設けられ、第２ヘッダタンクの全体に凝縮部出口ヘッダが設けられるとともに凝縮部出口ヘッダに凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダが設けられ、第２ヘッダタンクの凝縮部出口ヘッダ内と、第３ヘッダタンク内における第２ヘッダタンクの下端よりも上方に位置する部分とが連通部を介して通じさせられている請求項９記載のコンデンサ。
【発明の詳細な説明】
【技術分野】
【０００１】
この発明は、たとえば自動車に搭載されるカーエアコンに好適に用いられるコンデンサに関する。
【０００２】
この明細書および特許請求の範囲において、上下、左右は図１、図１１、図１５および図１７の上下、左右をいうものとし、図１、図１１、図１５および図１７のの紙面表裏方向を通風方向というものとする。
【背景技術】
【０００３】
たとえばカーエアコンのコンデンサとして、長手方向を左右方向に向けるとともに上下方向に間隔をおいて並列状に配置された複数の熱交換管からなる少なくとも１つの熱交換パスと、長手方向を上下方向に向けて配置され、かつ冷媒流れ方向最上流側の熱交換パスの冷媒流れ方向上流側端部が通じる凝縮部入口ヘッダと、長手方向を上下方向に向けて配置され、かつ冷媒流れ方向最下流側の熱交換パスの冷媒流れ方向下流側端部が通じかつ凝縮部の全熱交換パスを流れた冷媒が流入する凝縮部出口ヘッダとを有する凝縮部を備えており、凝縮部入口ヘッダに、両端が開口した冷媒流入路を有しかつ凝縮部入口ヘッダ内に冷媒を流入させる入口部材が接合され、凝縮部出口ヘッダに、両端が開口した冷媒流出路を有しかつ凝縮部出口ヘッダ内から冷媒を流出させる出口部材が接合されているコンデンサが広く知られている(以下、周知コンデンサと称する)。
【０００４】
上述した周知コンデンサにおいて熱交換効率を向上させるには、凝縮部入口ヘッダに冷媒が流入する流入部分の高さ位置および凝縮部出口ヘッダから冷媒が流出する流出部分の高さ位置を調整することによって、凝縮部入口ヘッダに通じる熱交換パスを構成する全熱交換管を流れる冷媒の流量を均一化することが効果的である。
【０００５】
ところで、自動車に搭載されるカーエアコンの場合、カーエアコンを構成する部品を接続する配管の取り回しを考慮して、コンデンサの凝縮部入口ヘッダへの冷媒流入部分の高さ位置が制限されることがあり、上述した周知コンデンサにおいては、凝縮部入口ヘッダに通じる熱交換パスの全熱交換管を流れる冷媒流量を均一化することが困難な場合がある。
【０００６】
冷媒流入部分および冷媒流出部分の高さ位置を調整することなく、冷媒凝縮用熱交換パスの全熱交換管を流れる冷媒流量を均一化しうるコンデンサとして、凝縮部入口ヘッダおよび凝縮部出口ヘッダのうちの少なくともいずれか一方の内部に、熱交換管側空間と反熱交換管側空間とに仕切る仕切部材が配置され、仕切部材に前記両空間を通じさせる複数の連通部が上下方向に間隔をおいて設けられ、連通部の大きさが上下方向で調整されているコンデンサが提案されている（特許文献１参照）。
【０００７】
しかしながら、特許文献１記載のコンデンサにおいては，凝縮部入口ヘッダおよび凝縮部出口ヘッダのうちの少なくともいずれか一方の内部に、熱交換管側空間と反熱交換管側空間とに仕切る仕切部材が配置されているので、部品点数が増加し、部品点数の増加に伴って重量が増加したり、コストが高くなったりするという問題がある。
【０００８】
また、部品点数の増加や高コスト化を抑制した上で、冷媒凝縮用熱交換パスの全熱交換管を流れる冷媒流量を均一化しうるコンデンサとして、本出願人は、先に、凝縮部と、凝縮部の下方に設けられた過冷却部と、凝縮部と過冷却部との間に設けられた受液部とを備えており、凝縮部が、長手方向を左右方向に向けるとともに上下方向に間隔をおいて並列状に配置された熱交換管からなる少なくとも１つの熱交換パスと、冷媒流れ方向最上流側の熱交換パスの冷媒流れ方向上流側端部が通じる凝縮部入口ヘッダと、冷媒流れ方向最下流側の熱交換パスの冷媒流れ方向下流側端部が通じかつ凝縮部の全熱交換パスを流れた冷媒が流入する凝縮部出口ヘッダとを備え、凝縮部入口ヘッダにおける長手方向中央部よりも一端側に偏った部分に冷媒流入口が形成され、凝縮部入口ヘッダに、両端が開口した冷媒流入路を有しかつ冷媒流入路を通して凝縮部入口ヘッダ内に冷媒を流入させる入口部材が接合され、過冷却部が、長手方向を左右方向に向けるとともに上下方向に間隔をおいて並列状に配置された複数の熱交換管からなる少なくとも１つの過冷却用熱交換パスと、長手方向を上下方向に向けて配置され、かつ冷媒流れ方向最上流側の過冷却用熱交換パスの冷媒流れ方向上流側端部が通じる過冷却部入口ヘッダと、長手方向を上下方向に向けて配置され、かつ冷媒流れ方向最下流側の過冷却用熱交換パスの冷媒流れ方向下流側端部が通じる過冷却部出口ヘッダとを備え、過冷却部出口ヘッダに、両端が開口した冷媒流出路を有しかつ冷媒流出路を通して過冷却部出口ヘッダ内から冷媒を流出させる出口部材が接合され、受液部が、凝縮部出口ヘッダと過冷却部入口ヘッダとに通じさせられ、凝縮部出口ヘッダから流出した冷媒が、受液部を経て過冷却部入口ヘッダ内に流入するようになされ、入口部材が、凝縮部入口ヘッダの周壁外周面における冷媒流入口を含む一定範囲に密着する密着部を有し、入口部材の冷媒流入路の全体が凝縮部入口ヘッダの外部に存在し、入口部材の冷媒流入路の一端開口が外部からの流入口となっているとともに他端開口が凝縮部入口ヘッダ内への流出口となり、流出口が、凝縮部入口ヘッダの冷媒流入口に合致するように前記密着部に開口しており、入口部材の冷媒流入路における流出口側の一定長さ部分に、直線部分が設けられており、当該直線部分が、流入口側から流出口側にかけて、凝縮部入口ヘッダの長手方向中央部側でかつ熱交換管側に傾斜しているコンデンサを提案した(特許文献２参照)。
【０００９】
しかしながら、特許文献２記載のコンデンサにおいては，入口部材の冷媒流入路の全体が凝縮部入口ヘッダの外部に存在しているので、入口部材が比較的大型化し、その結果コンデンサが大型化してレイアウト性が不十分である。
【先行技術文献】
【特許文献】
【００１０】
【特許文献１】特開２００４−３５３９３６号公報
【特許文献２】特開２０１５−９２１２０号公報
【発明の概要】
【発明が解決しようとする課題】
【００１１】
この発明の目的は、上記問題を解決し、部品点数が増加することなく、冷媒凝縮用熱交換パスの全熱交換管を流れる冷媒流量を均一化することができ、しかも小型化を図りうるコンデンサを提供することにある。
【課題を解決するための手段】
【００１２】
本発明は、上記目的を達成するために以下の態様からなる。
【００１３】
1)長手方向を上下方向に向けて配置された凝縮部入口ヘッダと、長手方向を左右方向に向けるとともに上下方向に間隔をおいて並列状に配置され、かつ長手方向の一端が凝縮部入口ヘッダに接続された複数の熱交換管からなる熱交換パスとを備えており、凝縮部入口ヘッダに、両端が開口した冷媒流入路を有しかつ凝縮部入口ヘッダ内における長手方向中央部よりも一端側に偏った部分に冷媒を流入させる入口部材が接合され、入口部材の冷媒流入路の一端開口が外部からの流入口となっているとともに他端開口が凝縮部入口ヘッダ内への流出口となっているコンデンサにおいて、
凝縮部入口ヘッダの周壁における長手方向中央部よりも一端側に偏った部分に開口が形成され、入口部材に、当該開口を通して凝縮部入口ヘッダ内に挿入された挿入部が、当該挿入部と凝縮部入口ヘッダの周壁の一部との間に間隙が存在するように設けられ、冷媒流入路の流出口が前記挿入部に開口しており、冷媒流入路の流出口が、冷媒を凝縮部入口ヘッダの長手方向中央部側に向かって流出するようになされているコンデンサ。
【００１４】
2)入口部材の挿入部の流出口が１つの平面上に位置しており、当該平面に対して垂直な直線が凝縮部入口ヘッダの長手方向にのびている上記1)記載のコンデンサ。
【００１５】
3)入口部材の挿入部の流出口が１つの平面上に位置しており、前記流出口の中心を通りかつ前記平面に対して垂直である直線が、前記平面から凝縮部入口ヘッダの長手方向中央部側に向かうにつれて、前記流出口の中心を通りかつ凝縮部入口ヘッダの長手方向にのびる直線から離れる方向に傾斜しており、両直線が一定の角度をなしている上記1)記載のコンデンサ。
【００１６】
4)入口部材の挿入部の流出口が位置する１つの平面に対して垂直な直線と、凝縮部入口ヘッダの長手方向にのびる直線とのなす角度が０〜４５度(但し、０度を含まない)である上記3)記載のコンデンサ。
【００１７】
5)入口部材の流出口が位置する１つの平面に対して垂直な直線が、通風方向と直交する平面上に位置している上記2)〜4)のうちのいずれかに記載のコンデンサ。
【００１８】
6)入口部材の冷媒流入路における流出口側の一定長さ部分に、直線部分が設けられており、当該直線部分が、流入口側から流出口側にかけて、凝縮部入口ヘッダの長手方向中央部側でかつ熱交換管側に傾斜している上記5)記載のコンデンサ。
【００１９】
7)入口部材の挿入部に、一端が冷媒流入路の内面に開口するとともに、他端が挿入部における凝縮部入口ヘッダの長手方向中央部側とは反対側を向いた面に開口した補助冷媒流入路が形成されており、補助冷媒流入路の前記他端開口の大きさが、流出口の大きさよりも小さくなっている上記1)〜6)のうちのいずれかに記載のコンデンサ。
【００２０】
8)凝縮部と、凝縮部の下方または上方に設けられた過冷却部と、凝縮部と過冷却部との間に設けられた受液部とを備えており、凝縮部が、長さ方向を左右方向に向けるとともに上下方向に間隔をおいて並列状に配置された複数の熱交換管からなる少なくとも１つの熱交換パスと、冷媒流れ方向最下流側の熱交換パスの冷媒流れ方向下流側端部が通じかつ凝縮部の全熱交換パスを流れた冷媒が流入する凝縮部出口ヘッダとを備え、凝縮部入口ヘッダに冷媒流れ方向最上流側の熱交換パスの冷媒流れ方向上流側端部が通じさせられ、過冷却部が、長手方向を上下方向に向けて配置された過冷却部入口ヘッダと、長手方向を上下方向に向けて配置された過冷却部出口ヘッダと、長手方向を左右方向に向けるとともに上下方向に間隔をおいて並列状に配置された複数の熱交換管からなる少なくとも１つの過冷却用熱交換パスとを備え、過冷却部入口ヘッダに冷媒流れ方向最上流側の過冷却用熱交換パスの冷媒流れ方向上流側端部が通じさせられ、過冷却部出口ヘッダに冷媒流れ方向最下流側の過冷却用熱交換パスの冷媒流れ方向下流側端部が通じさせられ、受液部が、凝縮部出口ヘッダと過冷却部入口ヘッダとに通じさせられ、凝縮部出口ヘッダから流出した冷媒が、受液部を経て過冷却部入口ヘッダ内に流入するようになされている上記1)〜7)のうちのいずれかに記載のコンデンサ。
【００２１】
9)凝縮部に１つの熱交換パスが設けられるとともに、当該熱交換パスの全熱交換管が凝縮部入口ヘッダおよび凝縮部出口ヘッダに接続されている上記8)記載のコンデンサ。
【００２２】
10)熱交換管の一端側に長手方向を上下方向に向けた第１ヘッダタンクが配置されるとともに、他端側に長手方向を上下方向に向けた第２ヘッダタンクおよび第３ヘッダタンクが、第３ヘッダタンクが第２ヘッダタンクよりも左右方向外側に位置するように設けられ、第１ヘッダタンクに、凝縮部入口ヘッダおよび過冷却部出口ヘッダが前者が上側に位置するように設けられ、第２ヘッダタンクの全体に凝縮部出口ヘッダが設けられるとともに凝縮部出口ヘッダに凝縮部の熱交換パスの全熱交換管が接続され、第３ヘッダタンクの下端が第２ヘッダタンクの下端よりも下方に位置するとともに同上端が第２ヘッダタンクの下端よりも上方に位置しており、第３ヘッダタンクにおける第２ヘッダタンクの下端よりも下方に位置する部分に過冷却部入口ヘッダが設けられ、第２ヘッダタンクの凝縮部出口ヘッダ内と、第３ヘッダタンク内における第２ヘッダタンクの下端よりも上方に位置する部分とが連通部を介して通じさせられている上記9)記載のコンデンサ。
【発明の効果】
【００２３】
上記1)〜10)のコンデンサによれば、凝縮部入口ヘッダの周壁における長手方向中央部よりも一端側に偏った部分に開口が形成され、入口部材に、当該開口を通して凝縮部入口ヘッダ内に挿入された挿入部が、当該挿入部と凝縮部入口ヘッダの周壁の一部との間に間隙が存在するように設けられ、冷媒流入路の流出口が前記挿入部に開口しており、冷媒流入路の流出口が、冷媒を凝縮部入口ヘッダの長手方向中央部側に向かって流出するようになされているので、入口部材の冷媒流入路を通って凝縮部入口ヘッダ内に流入する冷媒を、凝縮部入口ヘッダ内の長手方向中央部側に流すとともに、挿入部と凝縮部入口ヘッダの周壁との間の間隙を通って長手方向中央部とは反対側に流すことができる。したがって、入口部材の冷媒流入路を通って凝縮部入口ヘッダ内に流入する冷媒を、凝縮部入口ヘッダ内の長手方向の全体に行き渡らせることが可能になる。その結果、入口部材の冷媒流入路を通って凝縮部入口ヘッダ内に流入した冷媒を、凝縮部入口ヘッダに接続された全熱交換管に均等に分流することができ、コンデンサの性能低下を防止することが可能になる。しかも、部品点数の増加や、部品点数の増加に伴う重量の増加およびコスト高を防止することができる。
【００２４】
さらに、入口部材に、当該開口を通して凝縮部入口ヘッダ内に挿入された挿入部が設けられ、冷媒流入路の流出口が前記挿入部に開口しているので、入口部材における凝縮部入口ヘッダの外部に存在する部分を小型化することが可能になり、ひいてはコンデンサの小型化を図ることが可能になって、コンデンサのレイアウト性が向上する。
【００２５】
上記2)〜6)のコンデンサによれば、入口部材の冷媒流入路を通って凝縮部入口ヘッダ内に流入する冷媒を、凝縮部入口ヘッダ内の長手方向中央部側に効率良く流すことが可能になる。したがって、入口部材の冷媒流入路を通って凝縮部入口ヘッダ内に流入する冷媒を、効果的に凝縮部入口ヘッダ内の長手方向の全体に行き渡らせることが可能になる。
【００２６】
上記7)のコンデンサによれば、入口部材の冷媒流入路を通る冷媒の一部を、補助冷媒流入路を通って凝縮部入口ヘッダ内の長手方向中央部側とは反対側に流すことができる。したがって、凝縮部入口ヘッダおよび熱交換管の仕様に起因して、入口部材の冷媒流入路を通って流出口から凝縮部入口ヘッダ内に流入した冷媒が、挿入部と凝縮部入口ヘッダの周壁との間の間隙を通って長手方向中央部とは反対側に流れにくくなっている場合であっても、冷媒を、凝縮部入口ヘッダ内の長手方向の全体に行き渡らせることが可能になる。その結果、入口部材の冷媒流入路を通って凝縮部入口ヘッダ内に流入した冷媒を、凝縮部入口ヘッダに接続された全熱交換管に均等に分流することができ、コンデンサの性能低下を防止することが可能になる。
【００２７】
しかも、補助冷媒流入路における前記他端開口の大きさが、流出口の大きさよりも小さくなっているので、流出口により冷媒を凝縮部入口ヘッダの長手方向中央部側に向かって流出させる効果が妨げられることはない。
【図面の簡単な説明】
【００２８】
【図１】この発明によるコンデンサの第１の実施形態の全体構成を具体的に示す正面図である。
【図２】図１のコンデンサを模式的に示す正面図である。
【図３】図１のＡ−Ａ線拡大断面図である。
【図４】図３のＢ−Ｂ線断面図である。
【図５】図１のコンデンサの凝縮部入口ヘッダの一部と入口部材とを示す分解斜視図である。
【図６】図１のコンデンサに用いられる入口部材の第１の変形例を示す図４相当の図である。
【図７】図１のコンデンサに用いられる入口部材の第２の変形例を示す図４相当の図である。
【図８】図１のコンデンサに用いられる入口部材の第３の変形例を示す図４相当の図である。
【図９】図１のコンデンサに用いられる入口部材の第４の変形例を示す図４相当の図である。
【図１０】図１のコンデンサに用いられる入口部材の第５の変形例を示す図４相当の図である。
【図１１】この発明によるコンデンサの第２の実施形態の全体構成を具体的に示す正面図である。
【図１２】図１１のコンデンサを模式的に示す正面図である。
【図１３】図１１のコンデンサの要部を示す図４相当の図である。
【図１４】図１１のコンデンサに用いられる入口部材の変形例を示す図１３相当の図である。
【図１５】この発明によるコンデンサの第３の実施形態の全体構成を具体的に示す正面図である。
【図１６】図１５のコンデンサを模式的に示す正面図である。
【図１７】この発明によるコンデンサの第４の実施形態の全体構成を具体的に示す正面図である。
【図１８】図１７のコンデンサを模式的に示す正面図である。
【発明を実施するための形態】
【００２９】
以下、この発明の実施形態を、図面を参照して説明する。
【００３０】
以下の説明において、「アルミニウム」という用語には、純アルミニウムの他にアルミニウム合金を含むものとする。
【００３１】
さらに、全図面を通じて同一部分および同一物には同一符号を付す。
【００３２】
図１はこの発明によるコンデンサの第１の実施形態の全体構成を具体的に示し、図２は図１のコンデンサを模式的に示し、図３〜図５は図１のコンデンサの要部の構成を示す。図２においては、個々の熱交換管の図示は省略されるとともに、コルゲートフィンおよびサイドプレートの図示も省略されている。
【００３３】
図１および図２において、コンデンサ(1)は、凝縮部(2)と、凝縮部(2)の下方に設けられた過冷却部(3)と、長手方向を上下方向に向けた状態で凝縮部(2)と過冷却部(3)との間に設けられ、かつ凝縮部(2)で凝縮した液相主体冷媒を貯留するとともに液相主体冷媒を過冷却部(3)に供給する液溜部の機能を有するアルミニウム製タンク状受液器(4)（受液部）とからなり、幅方向を通風方向に向けるとともに長手方向を左右方向に向けた状態で上下方向に間隔をおいて配置された複数のアルミニウム製扁平状熱交換管(5)と、長手方向を上下方向に向けた状態で左右方向に間隔をおいて配置されるとともに熱交換管(5)の左右両端部が接続された２つのアルミニウム製ヘッダタンク(6)(7)と、隣り合う熱交換管(5)どうしの間および上下両端の熱交換管(5)の外側に配置されて熱交換管(5)にろう材により接合されたアルミニウム製コルゲートフィン(8)と、上下両端のコルゲートフィン(8)の外側に配置されてコルゲートフィン(8)にろう材により接合されたアルミニウム製サイドプレート(9)とを備えている。以下、ろう材による接合をろう付というものとする。
【００３４】
コンデンサ(1)の凝縮部(2)および過冷却部(3)には、それぞれ上下に連続して並んだ複数の熱交換管(5)からなる少なくとも１つ、ここでは１つの熱交換パス(P1)(P2)が設けられており、凝縮部(2)に設けられた熱交換パス(P1)が冷媒凝縮パスとなり、過冷却部(3)に設けられた熱交換パス(P2)が冷媒過冷却パスとなっている。そして、各熱交換パス(P1)(P2)を構成する全ての熱交換管(5)の冷媒流れ方向が同一となっているとともに、隣り合う２つの熱交換パスの熱交換管(5)の冷媒流れ方向が異なっている。ここで、凝縮部(2)の熱交換パス(P1)を第１熱交換パスといい、過冷却部(3)の熱交換パス(P2)を第２熱交換パスというものとする。なお、この実施形態においては、凝縮部(2)に１つの第１熱交換パス(P1)が設けられているので、第１熱交換パス(P1)が、凝縮部(2)の冷媒流れ方向最上流側の熱交換パスであると同時に、冷媒流れ方向最下流側の熱交換パスとなっている。
【００３５】
両ヘッダタンク(6)(7)内は、第１熱交換パス(P1)と第２熱交換パス(P2)との間でかつ下側の同一高さ位置に設けられたアルミニウム製仕切部材(11)により上下方向に並んだ２つの区画に仕切られており、コンデンサ(1)における両仕切部材(11)よりも上方に位置する部分が凝縮部(2)となり、両仕切部材(11)よりも下方に位置する部分が過冷却部(3)となっている。凝縮部(2)に１つの第１熱交換パス(P1)が設けられているので、右側ヘッダタンク(6)における仕切部材(11)よりも上方の区画が凝縮部入口ヘッダ(12)となっているとともに、左側ヘッダタンク(7)における仕切部材(11)よりも上方の区画が凝縮部出口ヘッダ(13)となっている。また、過冷却部(3)に１つの第２熱交換パス(P2)が設けられているので、左側ヘッダタンク(7)における仕切部材(11)よりも下方の区画が過冷却部入口ヘッダ(14)となっているとともに、右側ヘッダタンク(6)における仕切部材(11)よりも下方の区画が過冷却部出口ヘッダ(15)となっている。
【００３６】
凝縮部入口ヘッダ(12)の周壁外周面における長手方向中央部(X)よりも一端側に偏った部分、ここでは下端側に偏った部分に、両端が開口した冷媒流入路(17)を有し、かつ冷媒を凝縮部入口ヘッダ(12)内に流入させるアルミニウム製入口部材(16)がろう付されている。また、過冷却部出口ヘッダ(15)の周壁外面における長手方向中央部よりも上端側に偏った部分に、両端が開口した冷媒流出路(19a)を有し、かつ冷媒を過冷却部出口ヘッダ(15)に形成された冷媒出口(18)を通して外部に流出させるアルミニウム製出口部材(19)がろう付されている。
【００３７】
受液器(4)はアルミニウム製であって、長手方向を上下方向に向けるとともに上下両端が閉鎖された円筒状であり、左側ヘッダタンク(7)（凝縮部出口ヘッダ(13)および過冷却部入口ヘッダ(14)）と別個に設けられて左側ヘッダタンク(7)に固定されている。図示は省略したが、受液器(4)内には冷媒から異物を除去するフィルタや乾燥材が入れられている。凝縮部出口ヘッダ(13)内の下部と受液器(4)内の下部、および過冷却部入口ヘッダ(14)内の上部と受液器(4)内の下部が、それぞ左側ヘッダタンク(7)および受液器(4)にろう付されたアルミニウム製連通部材(21)(22)により通じさせられており、凝縮部出口ヘッダ(13)から流出した冷媒が、受液器(4)を経て過冷却部入口ヘッダ(14)内に流入するようになされている。
【００３８】
図３〜図５に示すように、右側ヘッダタンク(6)の凝縮部入口ヘッダ(12)の周壁における長手方向中央部(X)よりも下端側に偏った部分、ここでは下端に近くかつ凝縮部出口ヘッダ(13)と受液器(4)とを通じさせる連通部材(21)と近い高さ位置に開口(23)が形成されており、入口部材(16)に、開口(23)を通して凝縮部入口ヘッダ(12)内に挿入された挿入部(24)が、当該挿入部(24)と凝縮部入口ヘッダ(12)の周壁の一部との間に間隙(29)が存在し、かつ第１熱交換パス(P1)の熱交換管(5)とは干渉しないように設けられている。
【００３９】
入口部材(16)の凝縮部入口ヘッダ(12)外に存在する部分における挿入部(24)の周りの部分に、凝縮部入口ヘッダ(12)の周壁外周面における開口(23)の周囲の部分に密着する密着部(25)が設けられている。入口部材(16)は、挿入部(24)が開口(23)を通して凝縮部入口ヘッダ(12)内に挿入され、密着部(25)が凝縮部入口ヘッダ(12)の周壁外周面における開口(23)の周囲の部分に密着させられた状態で凝縮部入口ヘッダ(12)の周壁外周面にろう付されている。
【００４０】
入口部材(16)の冷媒流入路(17)は、一端が凝縮部入口ヘッダ(12)外に存在する部分の右側面に開口するとともに他端が挿入部(24)の１つの平面(26)からなる上面に開口しており、冷媒流入路(17)の一端開口が外部からの流入口(27)となるとともに他端開口が凝縮部入口ヘッダ(12)内への流出口(28)となっている。入口部材(16)の挿入部(24)の流出口(28)が位置する平面(26)は水平面であるとともに、当該平面(26)に対して垂直な第１直線(L1)は通風方向と直交する平面上に位置しており、流出口(28)は、冷媒を凝縮部入口ヘッダ(12)の長手方向中央部(X)側、ここでは上方に向かって流出する。また、入口部材(16)の流出口(28)が位置する平面(26)に対して垂直でかつ流出口(28)の中心を通る第１直線(L1)は凝縮部入口ヘッダ(12)の長手方向にのびており、ここでは第１直線(L1)と、凝縮部入口ヘッダ(12)の左右方向の中心を通りかつ凝縮部入口ヘッダ(12)の長手方向にのびる第２直線(L2)とは平行になっている。入口部材(16)の冷媒流入路(17)は、右側面から左方にのびかつ凝縮部入口ヘッダ(12)内に至る真っ直ぐな水平状第１直線部分(17a)と、第１直線部分(17a)の左端に連なって上方にのびかつ平面(26)に開口した鉛直状第２直線部分(17b)とからなる。入口部材(16)は、アルミニウムベア材に切削加工を施すことによって全体が一体に成形されている。
【００４１】
コンデンサ(1)は、圧縮機、膨張弁（減圧器）およびエバポレータとともに冷凍サイクルを構成し、カーエアコンとして車両に搭載される。
【００４２】
上述した構成のコンデンサ(1)において、圧縮機により圧縮された高温高圧の気相冷媒が、入口部材(16)の冷媒流入路(17)を通って凝縮部入口ヘッダ(12)内の下部に流入する。このとき、冷媒は入口部材(16)の流出口(28)から上方(凝縮部入口ヘッダ(12)の長手方向中央部(X)側）に向かって流出するので、多くの冷媒が凝縮部入口ヘッダ(12)内の上端部まで流れ、残りの冷媒が入口部材(16)の挿入部(24)と凝縮部入口ヘッダ(12)の周壁との間の間隙(29)を通って入口部材(16)よりも下方に流れる。したがって、入口部材(16)の冷媒流入路(17)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて凝縮部出口ヘッダ(13)内に流入する。凝縮部出口ヘッダ(13)内に流入した冷媒は、連通部材(21)を通って受液器(4)内に流入する。
【００４３】
受液器(4)内に流入した冷媒は、気液混相冷媒であり、当該気液混相冷媒のうち液相主体混相冷媒は重力により受液器(4)内の下部に溜まり、連通部材(22)を通って過冷却部入口ヘッダ(14)内に入る。過冷却部入口ヘッダ(14)内に入った冷媒は、第２熱交換パス(P2)の熱交換管(5)内に入り、第２熱交換パス(P2)の熱交換管(5)の流路を右方に流れる間に過冷却された後、過冷却部出口ヘッダ(15)内に入り、冷媒流出口(18)および出口部材(24)の冷媒流出路を通って流出し、膨張弁を経てエバポレータに送られる。
【００４４】
図６〜図１０は図１および図２に示すコンデンサ(1)に用いられる入口部材の変形例を示す。
【００４５】
図６に示す入口部材(30)の場合、入口部材(30)の冷媒流入路(17)の流出口(28)は、挿入部(24)における１つの平面(31)からなる傾斜上向き面に開口している。入口部材(30)の挿入部(24)の流出口(28)が位置する平面(31)は斜め上方を向いた傾斜面であるとともに、当該平面(31)に対して垂直な第１直線(L1)は通風方向と直交する平面上に位置している。入口部材(30)の流出口(28)の中心を通りかつ流出口(28)が位置する平面(26)に対して垂直である第１直線(L1)は、平面(31)から凝縮部入口ヘッダ(12)の長手方向中央部側(上側)に向かうにつれて、流出口(28)の中心を通りかつ凝縮部入口ヘッダ(12)の長手方向にのびる第２直線(L2)から離れる方向、ここでは熱交換管(5)側に傾斜しており、凝縮部入口ヘッダ(12)の長手方向にのびる直線(L2)に対して一定の角度をなしている。両直線(L1)(L2)のなす角度αは、０度よりも大きくかつ４５度以下であり、たとえば３０度となっている。
【００４６】
入口部材(30)の冷媒流入路(17)は、右側面から左方にのびかつ凝縮部入口ヘッダ(12)内に至る水平状第１直線部分(17a)と、第１直線部分(17a)の左端に連なって斜め上方にのびかつ先端が前記平面(31)に開口した傾斜状の短い第２直線部分(17c)とからなる。入口部材(30)は、アルミニウムア材に切削加工を施すことによって全体が一体に成形されている。
【００４７】
図７に示す入口部材(35)の場合、入口部材(35)の冷媒流入路(17)の流出口(28)は、挿入部(24)における１つの平面(36)からなる上面に開口している。入口部材(35)の流出口(28)が位置する平面(36)は水平面であるとともに、当該平面(36)に対して垂直な第１直線(L1)は通風方向と直交する平面上に位置しており、流出口(28)は、冷媒を凝縮部入口ヘッダ(12)の長手方向中央部側、ここでは上方に向かって流出する。また、入口部材(35)の流出口(28)が位置する平面(36)に対して垂直でかつ流出口(28)の中心を通る第１直線(L1)は凝縮部入口ヘッダ(12)の長手方向にのびており、ここでは第１直線(L1)と、凝縮部入口ヘッダ(12)の左右方向の中心を通りかつ凝縮部入口ヘッダ(12)の長手方向にのびる第２直線(L2)とは平行になっている。入口部材(35)の冷媒流入路(17)は、右側面から左方にのびかつ凝縮部入口ヘッダ(12)内に至る真っ直ぐな水平状第１直線部分(17a)と、第１直線部分(17a)の左端に連なって斜め上方にのびかつ先端が平面(36)に開口した傾斜状の第２直線部分(17d)とからなる。第２直線部分(17d)は、流入口(27)側から流出口(28)側にかけて、凝縮部入口ヘッダ(12)の長手方向中央部(X)側でかつ熱交換管(5)側(左側)に傾斜している。なお、挿入部(24)は第１熱交換パス(P1)の熱交換管(5)とは干渉せず、しかも挿入部(24)と凝縮部入口ヘッダ(12)の周壁との間に間隙(29)が存在している。入口部材(35)は、アルミニウムベア材に切削加工を施すことによって全体が一体に成形されている。
【００４８】
図８に示す入口部材(70)の場合、挿入部(24)に、一端が冷媒流入路(17)の第２直線部分(17b)の底面に開口するとともに、他端が挿入部(24)における凝縮部入口ヘッダ(12)の長手方向中央部側とは反対側を向いた水平な下面に開口した鉛直状補助冷媒流入路(71)が形成されている。補助冷媒流入路(71)の通路断面積は、全長にわたって同一であるとともに冷媒流入路(17)の第２直線部分(17b)の通路断面積よりも小さくなっており、補助冷媒流入路(71)の下端開口の大きさが、流出口(28)の大きさよりも小さくなっている。入口部材(70)は、アルミニウムベア材に切削加工を施すことによって全体が一体に成形されている。
【００４９】
その他の構成は図４に示す入口部材(16)と同じである。
【００５０】
入口部材(70)を備えたコンデンサ(1)においては、入口部材(70)の冷媒流入路(17)を通る冷媒が入口部材(70)の流出口(28)から上方に向かって流出するのと同時に、補助冷媒流入路(71)を通って凝縮部入口ヘッダ(12)内の入口部材(70)よりも下方に流出する。したがって、凝縮部入口ヘッダ(12)および熱交換管(5)の仕様に起因して、入口部材(70)の挿入部(24)の流出口(28)から凝縮部入口ヘッダ(12)内に流入した冷媒が、挿入部(24)と凝縮部入口ヘッダ(12)の周壁との間の間隙(29)を通って入口部材(70)よりも下方に流れにくくなっている場合であっても、冷媒を、凝縮部入口ヘッダ(12)内の長手方向の全体に行き渡らせることが可能になり、凝縮部入口ヘッダ(12)に接続された第１熱交換パス(P1)の全熱交換管(5)に均等に分流される。
【００５１】
図９に示す入口部材(75)の場合、挿入部(24)に、一端が冷媒流入路(17)における第１直線部分(17a)と第２直線部分(17c)との連接部の底面に開口するとともに、他端が挿入部(24)における凝縮部入口ヘッダ(12)の長手方向中央部側とは反対側を向いた水平な下面に開口した鉛直状補助冷媒流入路(76)が形成されている。補助冷媒流入路(76)の通路断面積は、全長にわたって同一であるとともに冷媒流入路(17)の第２直線部分(17c)の通路断面積よりも小さくなっており、補助冷媒流入路(76)の下端開口の大きさが、流出口(28)の大きさよりも小さくなっている。入口部材(75)は、アルミニウムベア材に切削加工を施すことによって全体が一体に成形されている。
【００５２】
その他の構成は図６に示す入口部材(30)と同じである。
【００５３】
図１０に示す入口部材(80)の場合、挿入部(24)に、一端が冷媒流入路(17)の第２直線部分(17d)における長手方向中間部の底面に開口するとともに、他端が挿入部(24)における凝縮部入口ヘッダ(12)の長手方向中央部側とは反対側を向いた水平な下面に開口した鉛直状補助冷媒流入路(81)が形成されている。補助冷媒流入路(81)の通路断面積は、全長にわたって同一であるとともに冷媒流入路(17)の第２直線部分(17d)の通路断面積よりも小さくなっており、補助冷媒流入路(81)の下端開口の大きさが、流出口(28)の大きさよりも小さくなっている。入口部材(80)は、アルミニウムベア材に切削加工を施すことによって全体が一体に成形されている。
【００５４】
その他の構成は図７に示す入口部材(35)と同じである。
【００５５】
図９および図１０に示す入口部材(75)(80)を備えたコンデンサ(1)においても、入口部材(75)(80)の冷媒流入路(17)を通る冷媒が入口部材(75)(80)の流出口(28)から上方に向かって流出するのと同時に、補助冷媒流入路(76)(81)を通って凝縮部入口ヘッダ(12)内の入口部材(75)(80)よりも下方に流出する。
【００５６】
図１１〜図１３はこの発明によるコンデンサの第２の実施形態を示す。図１１はこの発明によるコンデンサの第２の実施形態の全体構成を具体的に示し、図１２は図１１のコンデンサを模式的に示す。図１２においては、個々の熱交換管(5)の図示は省略されるとともに、コルゲートフィンおよびサイドプレートの図示も省略されている。また、図１３は図１１のコンデンサの要部を示す。
【００５７】
図１１〜図１３において、コンデンサ(40)の右側ヘッダタンク(6)の凝縮部入口ヘッダ(12)における長手方向中央部よりも上端側に偏った部分に、両端が開口した冷媒流入路(17)を有し、かつ冷媒を凝縮部入口ヘッダ(12)内に流入させるアルミニウム製入口部材(41)がろう付されている。入口部材(41)は、上述した第１の実施形態のコンデンサ(1)に用いられている入口部材(16)を上下逆向きにしたものであり、挿入部(24)が、凝縮部入口ヘッダ(12)における長手方向中央部よりも上端側に偏った部分に形成された開口(23)を通して凝縮部入口ヘッダ(12)内に挿入され、密着部(25)が凝縮部入口ヘッダ(12)の周壁外周面における開口(23)の周囲の部分に密着させられた状態で凝縮部入口ヘッダ(12)の周壁外周面にろう付されている。挿入部(24)は第１熱交換パス(P1)の熱交換管(5)とは干渉せず、しかも挿入部(24)と凝縮部入口ヘッダ(12)の周壁との間に間隙(29)が存在している。
【００５８】
また、凝縮部出口ヘッダ(13)内の下部と受液器(4)内の下部、および過冷却部入口ヘッダ(14)内の上部と受液器(4)内の下部が、それぞ左側ヘッダタンク(7)および受液器(4)にろう付されたアルミニウム製連通部材(21)(22)により通じさせられており、凝縮部出口ヘッダ(13)から流出した冷媒が、受液器(4)を経て過冷却部入口ヘッダ(14)内に流入するようになされている。
【００５９】
その他の構成は、第１の実施形態のコンデンサと同様である。
【００６０】
図１４は図１１および図１２に示すコンデンサ(40)に用いられる入口部材の変形例を示す。
【００６１】
図１４に示す入口部材(85)は、図８に示す入口部材(70)を上下逆向きにしたものであり、一端が冷媒流入路(17)の第２直線部分(17b)の頂面に開口するとともに、他端が挿入部(24)における凝縮部入口ヘッダ(12)の長手方向中央部側とは反対側を向いた上面に開口した鉛直状補助冷媒流入路(86)が形成されている。補助冷媒流入路(86)の通路断面積は、全長にわたって同一であるとともに冷媒流入路(17)の第２直線部分(17b)の通路断面積よりも小さくなっており、補助冷媒流入路(86)の上端開口の大きさが、流出口(28)の大きさよりも小さくなっている。
【００６２】
なお、第２の実施形態のコンデンサ(40)において、図６、図７、図９および図１０に示す入口部材(30)(35)(75)(80)を上下逆向きにして用いてもよい。
【００６３】
図１５および図１６はこの発明によるコンデンサの第３の実施形態を示す。図１５はこの発明によるコンデンサの第３の実施形態の全体構成を具体的に示し、図１６は図１５のコンデンサを模式的に示す。図１６においては、個々の熱交換管の図示は省略されるとともに、コルゲートフィンおよびサイドプレートの図示も省略されている。
【００６４】
図１５および図１６において、コンデンサ(50)の凝縮部(2)には、上下に連続して並んだ複数の熱交換管(5)からなる少なくとも１つ、ここでは３つの熱交換パス(P1)(P2)(P3)が設けられている。また、コンデンサ(50)の過冷却部(3)には、上下に連続して並んだ複数の熱交換管(5)からなる少なくとも１つ、ここでは１つの熱交換パス(P4)が設けられている。そして、各熱交換パス(P1)(P2)(P3)(P4)を構成する全ての熱交換管(5)の冷媒流れ方向が同一となっているとともに、隣り合う２つの熱交換パスの熱交換管(5)の冷媒流れ方向が異なっている。ここで、凝縮部(2)の３つの熱交換パス(P1)(P2)(P3)を第１〜第３熱交換パスといい、過冷却部(3)の熱交換パス(P4)を第４熱交換パスというものとする。
【００６５】
右側ヘッダタンク(6)内は、第３熱交換パス(P3)と第４熱交換パス(P4)との間に設けられたアルミニウム製第１仕切部材(51)と、第１熱交換パス(P1)と第２熱交換パス(P2)との間に設けられたアルミニウム製第２仕切部材(52)とにより上下方向に並んだ３つの区画に仕切られている。左側ヘッダタンク(7)内は、第３熱交換パス(P3)と第４熱交換パス(P4)との間でかつ第１仕切部材(51)と同一高さ位置に設けられたアルミニウム製第３仕切部材(53)と、第２熱交換パス(P2)と第３熱交換パス(P3)との間に設けられたアルミニウム製第４仕切部材(54)とにより上下方向に並んだ３つの区画に仕切られている。コンデンサ(50)における第１および第３仕切部材(51)(53)よりも上方に位置する部分が凝縮部(2)となり、両仕切部材(51)(53)よりも下方に位置する部分が過冷却部(3)となっている。凝縮部(2)に３つの第１熱交換パス(P1)(P1)(P3)が設けられているので、右側ヘッダタンク(6)における第２仕切部材(52)よりも上方の区画が凝縮部入口ヘッダ(12)となり、左側ヘッダタンク(7)における第４仕切部材(54)よりも上方の区画が第１中間ヘッダ(55)となり、右側ヘッダタンク(6)における第１仕切部材(51)と第２仕切部材(52)との間の区画が第２中間ヘッダ(56)となり、左側ヘッダタンク(7)における第３仕切部材(53)と第４仕切部材(54)との間の区画が凝縮部出口ヘッダ(13)となっている。また、過冷却部(3)に１つの第４熱交換パス(P4)が設けられているので、左側ヘッダタンク(7)における第３仕切部材(53)よりも下方の区画が過冷却部入口ヘッダ(14)となり、右側ヘッダタンク(6)における第１仕切部材(51)よりも下方の区画が過冷却部出口ヘッダ(15)となっている。
【００６６】
凝縮部入口ヘッダ(12)の周壁外周面における長手方向中央部よりも一端側に偏った部分、ここでは下端側に偏った部分に、第１の実施形態のコンデンサ(1)に用いられているアルミニウム製入口部材(16)がろう付されている。入口部材(16)は、挿入部(24)が、凝縮部入口ヘッダ(12)における長手方向中央部よりも上端側に偏った部分に形成された開口(23)を通して凝縮部入口ヘッダ(12)内に挿入され、密着部(25)が凝縮部入口ヘッダ(12)の周壁外周面における開口(23)の周囲の部分に密着させられた状態で凝縮部入口ヘッダ(12)の周壁外周面にろう付されている。
【００６７】
その他の構成は第１の実施形態のコンデンサと同様である。なお、この実施形態において、図６〜図１０に示す入口部材(30)(35)(70)(75)(80)が用いられてもよい。
【００６８】
コンデンサ(50)は、圧縮機、膨張弁（減圧器）およびエバポレータとともに冷凍サイクルを構成し、カーエアコンとして車両に搭載される。
【００６９】
上述した構成のコンデンサ(50)において、圧縮機により圧縮された高温高圧の気相冷媒が、入口部材(16)の冷媒流入路(17)を通って凝縮部入口ヘッダ(12)内の下部に流入する。このとき、冷媒は入口部材(16)の流出口(28)から上方(凝縮部入口ヘッダ(12)の長手方向中央部側）に向かって流出するので、多くの冷媒が凝縮部入口ヘッダ(12)内の上端部まで流れ、残りの冷媒が入口部材(16)の挿入部(24)と凝縮部入口ヘッダ(12)の周壁との間の間隙(29)を通って入口部材(16)よりも下方に流れる。したがって、入口部材(16)の冷媒流入路(17)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて第１中間ヘッダ(55)内に流入し、第２熱交換パス(P2)の熱交換管(5)内を右方に流れて第２中間ヘッダ(56)内に流入し、第３熱交換パス(P3)の熱交換管(5)内を左方に流れて凝縮部出口ヘッダ(13)内に流入する。凝縮部出口ヘッダ(13)内に流入した冷媒は、連通部材(21)を通って受液器(4)内に流入する。
【００７０】
受液器(4)内に流入した冷媒は、気液混相冷媒であり、当該気液混相冷媒のうち液相主体混相冷媒は重力により受液器(4)内の下部に溜まり、連通部材(22)を通って過冷却部入口ヘッダ(14)内に入る。過冷却部入口ヘッダ(14)内に入った冷媒は、第４熱交換パス(P4)の熱交換管(5)内に入り、第４熱交換パス(P4)の熱交換管(5)の流路を右方に流れる間に過冷却された後、過冷却部出口ヘッダ(15)内に入り、冷媒流出口(18)および出口部材(19)の冷媒流出路(19a)を通って流出し、膨張弁を経てエバポレータに送られる。
【００７１】
上述した第１〜第３の実施形態のコンデンサ(1)(40)(50)においては、凝縮部(2)の下方に過冷却部(3)が設けられているが、これに限定されるものではなく、凝縮部の上方に過冷却部が設けられていてもよい。たとえば、凝縮部と、凝縮部の上方に設けられた過冷却部と、凝縮部と過冷却部との間に設けられた受液器とを備えており、凝縮部から流出した冷媒が、受液器を経て過冷却部に流入するようになっており、受液器に、凝縮部から冷媒が流入する冷媒流入口、および冷媒流入口の上方に位置しかつ過冷却部に冷媒を流出させる冷媒流出口が形成され、受液器内における冷媒流入口と冷媒流出口との間の高さ位置に、受液器内を上下に区画する仕切部材が設けられ、受液器内に、仕切部材よりも下方の冷媒流入口が通じる第１空間と、仕切部材よりも上方の冷媒流出口が通じる第２空間とが設けられ、受液器内に、第１空間と第２空間とを通じさせる吸い上げ管が配置されているコンデンサにも適用可能である。
【００７２】
図１７および図１８はこの発明によるコンデンサの第４の実施形態を示す。図１７はこの発明によるコンデンサの第４の実施形態の全体構成を具体的に示し、図１８は図１７のコンデンサを模式的に示す。図１８においては、個々の熱交換管の図示は省略されるとともに、コルゲートフィンおよびサイドプレートの図示も省略されている。
【００７３】
図１７および図１８において、コンデンサ(60)は、凝縮部(2)と、凝縮部(2)の下方に設けられた過冷却部(3)と、長手方向を上下方向に向けた状態で凝縮部(2)と過冷却部(3)との間に設けられ、かつ気液分離機能を有する受液部(61)とを備えている。
【００７４】
コンデンサ(60)の凝縮部(2)および過冷却部(3)には、それぞれ上下に連続して並んだ複数の熱交換管(5)からなる少なくとも１つ、ここでは１つの熱交換パス(P1)(P2)が設けられており、凝縮部(2)に設けられた熱交換パス(P1)が冷媒凝縮パスとなり、過冷却部(3)に設けられた熱交換パス(P2)が冷媒過冷却パスとなっている。そして、各熱交換パス(P1)(P2)を構成する全ての熱交換管(5)の冷媒流れ方向が同一となっているとともに、隣り合う２つの熱交換パスの熱交換管(5)の冷媒流れ方向が異なっている。ここで、凝縮部(2)の熱交換パス(P1)を第１熱交換パス(P1)といい、過冷却部(3)の熱交換パス(P2)を第２熱交換パス(P2)というものとする。なお、この実施形態においては、凝縮部(2)に１つの第１熱交換パス(P1)が設けられているので、第１熱交換パス(P1)が、凝縮部(2)の冷媒流れ方向最上流側の熱交換パスであると同時に、冷媒流れ方向最下流側の熱交換パスとなっている。
【００７５】
コンデンサ(60)の右端部側には、第１および第２熱交換パス(P1)(P2)を構成する全ての熱交換管(5)の右端部が接続される第１ヘッダタンク(62)が配置されている。第１ヘッダタンク(62)内は、第１熱交換パス(P1)と第２熱交換パス(P2)との間の高さ位置に設けられたアルミニウム製仕切部材(63)により上下２つの区画に分割されている。第１ヘッダタンク(62)の仕切部材(63)よりも上方の区画に、凝縮部(2)の第１熱交換パス(P1)の冷媒流れ方向上流側端部が通じる凝縮部入口ヘッダ(12)が設けられ、同じく下方の区画に、過冷却部(3)の第２熱交換パス(P2)の冷媒流れ方向下流側端部が通じる過冷却部出口ヘッダ(15)が設けられている。
【００７６】
コンデンサ(60)の左端側には、凝縮部(2)に設けられた第１熱交換パス(P1)の全熱交換管(5)の左端部がろう付により接続された第２ヘッダタンク(64)と、過冷却部(3)に設けられた第２熱交換パス(P2)の熱交換管(5)の左端部がろう付により接続された第３ヘッダタンク(65)とが、第３ヘッダタンク(65)が左右方向外側に位置するように別個に設けられている。第３ヘッダタンク(65)の上端は第２ヘッダタンク(64)の下端よりも上方、ここでは第２ヘッダタンク(64)の上端とほぼ同一高さ位置にある。また、第３ヘッダタンク(65)の下端は第２ヘッダタンク(64)の下端よりも下方に位置しており、第３ヘッダタンク(65)における第２ヘッダタンク(64)よりも下方に位置する部分に、第２熱交換パス(P2)を構成する第２熱交換管(5)がろう付により接続されている。第３ヘッダタンク(65)は、凝縮部(2)で凝縮した液相主体冷媒を貯留するとともに液相主体冷媒を過冷却部(3)に供給する液溜部の機能を有する受液部(61)を兼ねている。
【００７７】
第２ヘッダタンク(64)の全体に、凝縮部(2)の第１熱交換パス(P1)の冷媒流れ方向下流側端部が通じる凝縮部出口ヘッダ(13)が設けられている。第３ヘッダタンク(65)における第２ヘッダタンク(64)の下端よりも下方に位置する部分に、過冷却部(3)の第２熱交換パス(P2)の冷媒流れ方向上流側端部が通じる過冷却部入口ヘッダ(14)が設けられている。そして、第２ヘッダタンク(64)の凝縮部出口ヘッダ(13)内の下端部と、第３ヘッダタンク(65)内における過冷却部入口ヘッダ(14)よりも上方の部分とが連通部材(66)により通じさせられている。なお、第３ヘッダタンク(65)内における過冷却部入口ヘッダ(14)よりも上方の部分と、過冷却部入口ヘッダ(14)とは、第３ヘッダタンク(65)内で通じている。
【００７８】
凝縮部入口ヘッダ(12)の周壁外周面における長手方向中央部よりも一端側に偏った部分、ここでは下端側に偏った部分に、第１の実施形態のコンデンサ(1)に用いられているアルミニウム製入口部材(16)がろう付されている。入口部材(16)は、挿入部(24)が、凝縮部入口ヘッダ(12)における長手方向中央部よりも下端側に偏った部分に形成された開口(23)を通して凝縮部入口ヘッダ(12)内に挿入され、密着部(25)が凝縮部入口ヘッダ(12)の周壁外周面における開口(23)の周囲の部分に密着させられた状態で凝縮部入口ヘッダ(12)の周壁外周面にろう付されている。
【００７９】
その他の構成は第１の実施形態のコンデンサと同様である。なお、この実施形態において、図６〜図１０に示す入口部材(30)(35)(70)(75)(80)が用いられてもよい。
【００８０】
コンデンサ(60)は、圧縮機、膨張弁（減圧器）およびエバポレータとともに冷凍サイクルを構成し、カーエアコンとして車両に搭載される。
【００８１】
上述した構成のコンデンサ(60)において、圧縮機により圧縮された高温高圧の気相冷媒が、入口部材(16)の冷媒流入路(17)を通って凝縮部入口ヘッダ(12)内の下部に流入する。このとき、冷媒は入口部材(16)の流出口(28)から上方(凝縮部入口ヘッダ(12)の長手方向中央部側）に向かって流出するので、多くの冷媒が凝縮部入口ヘッダ(12)内の上端部まで流れ、残りの冷媒が入口部材(16)の挿入部(24)と凝縮部入口ヘッダ(12)の周壁との間の間隙(29)を通って入口部材(26)よりも下方に流れる。したがって、入口部材(16)の冷媒流入路(17)を通って凝縮部入口ヘッダ(12)内に流入した冷媒は凝縮部入口ヘッダ(12)内の全体に行き渡り、凝縮部入口ヘッダ(12)に接続された第１熱交換パス(P1)の全熱交換管(5)に均等に分流される。第１熱交換パス(P1)の熱交換管(5)内に流入した冷媒は、第１熱交換パス(P1)の熱交換管(5)内を左方に流れて第２ヘッダタンク(64)の凝縮部出口ヘッダ(13)内に流入する。第２ヘッダタンク(64)の凝縮部出口ヘッダ(13)内に流入した冷媒は、連通部材(66)を通って第３ヘッダタンク(65)内における過冷却部入口ヘッダ(14)よりも上方の部分に流入する。
【００８２】
第３ヘッダタンク(65)内における過冷却部入口ヘッダ(14)よりも上方の部分に流入した冷媒は、気液混相冷媒であり、当該気液混相冷媒のうち液相主体混相冷媒は重力により第３ヘッダタンク(65)の過冷却部入口ヘッダ(14)内に溜まり、第２熱交換パス(P2)の熱交換管(5)内に入る。第２熱交換パス(P2)の熱交換管(5)内に入った液相主体混相冷媒は第２熱交換管(5)内を右方に流れる間に過冷却された後、第１ヘッダタンク(62)の過冷却部出口ヘッダ(15)内に入り、冷媒出口(18)および出口部材(19)の冷媒流出路(19a)を通って流出し、膨張弁を経てエバポレータに送られる。
【産業上の利用可能性】
【００８３】
この発明によるコンデンサは、自動車に搭載されるカーエアコンに好適に用いられる。
【符号の説明】
【００８４】
(1)(40)(50)(60)：コンデンサ
(2)：凝縮部
(3)：過冷却部
(4)：受液器(受液部)
(5)：熱交換管
(12)：凝縮部入口ヘッダ
(13)：凝縮部出口ヘッダ
(14)：過冷却部入口ヘッダ
(15)：過冷却部出口ヘッダ
(16)(30)(35)(41)(70)(75)80)(85)：入口部材
(17)：冷媒流入路
(17b)(17c)(17d)：第２直線部分
(23)：開口
(24)：挿入部
(26)(31)(36)：平面
(27)：流入口
(28)：流出口
(29)：間隙
(61)：受液部
(62)：第１ヘッダタンク
(64)：第２ヘッダタンク
(65)：第３ヘッダタンク
(66)：連通部材
(71)(76)(81)(86)：補助冷媒流入路
【図１】
2018013322.tif 000003
【図２】
2018013322.tif 000004
【図３】
2018013322.tif 000005
【図４】
2018013322.tif 000006
【図５】
2018013322.tif 000007
【図６】
2018013322.tif 000008
【図７】
2018013322.tif 000009
【図８】
2018013322.tif 000010
【図９】
2018013322.tif 000011
【図１０】
2018013322.tif 000012
【図１１】
2018013322.tif 000013
【図１２】
2018013322.tif 000014
【図１３】
2018013322.tif 000015
【図１４】
2018013322.tif 000016
【図１５】
2018013322.tif 000017
【図１６】
2018013322.tif 000018
【図１７】
2018013322.tif 000019
【図１８】
2018013322.tif 000020